(57)【要約】【課題】  本発明の目的は入力する複数のバーコードにおいて識別コードや貼付位置を固定していなくてもバーコード入力者が入力するバーコードを識別し入力順序を設定することなく入力を可能にする。【解決手段】  図１に示すように入力する複数のバーコードについて各々を識別できる特徴をあらかじめバーコード入力システムに登録しておきバーコードデータを読み込む時に識別データを用い比較することで複数のバーコードのうちどのバーコードが読み込まれたのかシステムで判断する。【選択図】図１
2005327142.tif 000002
【特許請求の範囲】
【請求項１】
複数のバーコードを入力するシステムにおいて入力する複数のバーコードデータに対して各々を識別するデータを持つバーコード入力システム。
【請求項２】
複数のバーコードを入力するシステムにおいて入力する複数のバーコードデータに対して各々のバーコードの識別情報として各々のバーコード間の比較値に関するデータを持つバーコード入力システム。
【請求項３】
複数のバーコードを入力するシステムにおいて入力する複数のバーコードデータに対して各々のバーコードの識別情報として物理情報に関するデータを持つバーコード入力システム。
【請求項４】
複数のバーコードを入力するシステムにおいて入力する複数のバーコードデータに対して各々のバーコードの識別情報としてフォーマット情報を持つバーコード入力システム。
【発明の詳細な説明】
【技術分野】
【０００１】
本発明は複数のバーコードを同時に扱うシステムのバーコード入力システムに関する。
【背景技術】
【０００２】
従来の複数のバーコードを入力するシステムの場合、バーコード入力者もしくは装置がバーコードラベルを識別することなくバーコードを入力するには各々のバーコードのバーコードデータに他のバーコードと区別するための識別コードを含めるか多段バーコード等各々のバーコードの貼付位置を固定していた。この種のシステムとして関連するものには例えば特許文献１、特許文献２等があげられる。
【０００３】
【特許文献１】特公平７−１０４９０１号公報
【特許文献２】特許第２７５８９８２号公報
【発明の開示】
【発明が解決しようとする課題】
【０００４】
上記従来技術は各々のバーコードのバーコードデータに他のバーコードと区別するための識別コードを含めるか各々のバーコードの貼付位置を固定する必要があるがこの条件を満たせない場合はバーコード入力者が入力するバーコードを識別しあらかじめ入力システムで決められた順にバーコードを入力する必要があった。本発明の目的は入力する複数のバーコードにおいて識別コードや貼付位置を固定していなくてもバーコード入力者が入力するバーコードを識別することなく入力を可能にすることである。
【課題を解決するための手段】
【０００５】
請求項１によれば先ず入力する複数のバーコードデータに対して各々のデータを識別する識別データをあらかじめバーコード入力システムに登録しておき、入力したバーコードデータと識別データをバーコード入力システムにて比較することで入力したバーコードを識別する方式である。
【０００６】
請求項２によれば先ず入力する複数のバーコードデータに対して各々のデータ間の比較値を用いた各々のデータを識別する識別データをあらかじめバーコード入力システムに登録しておき入力した各々のバーコードデータの比較値と識別データをバーコード入力システムにて比較することで入力したバーコードを識別する方式である。
【０００７】
請求項３によれば先ず入力する複数のバーコードデータに対して各々のバーコードの物理情報を用いた各々のバーコードを識別する識別データをあらかじめバーコード入力システムに登録しておき入力したバーコードの物理情報と識別データをバーコード入力システムにて比較することで入力したバーコードを識別する方式である。
【０００８】
請求項４によれば先ず入力する複数のバーコードデータに対して各々のバーコードのフォーマット情報を用いた各々のバーコードを識別する識別データをあらかじめバーコード入力システムに登録しておき入力したバーコードのフォーマット情報と識別データをバーコード入力システムにて比較することで入力したバーコードを識別する方式である。
【発明の効果】
【０００９】
本発明によれば複数のバーコードを入力する場合において入力するバーコードの入力順序を設定せずに入力出来るので入力ミスを無くし入力効率の向上に効果がある。
【発明を実施するための最良の形態】
【００１０】
以下、本発明の実施例を説明する。図１は本発明のバーコード入力システムを適用した商品管理システムであり、バーコード識別データ14、バーコードデータ識別プロセッサ13、商品管理データベース12から構成される。
【００１１】
商品11には注文番号、商品コード、商品のロット番号を示すバーコードラベルが張り付けてある。バーコード識別データ14には注文番号、商品コード、商品ロット番号を識別できるデータを登録しておく。バーコード識別プロセッサ13はバーコードの入力データとバーコード識別データ14を比較し入力データの識別を行う。商品管理データベース12には商品11の注文番号、商品コード、ロット番号を格納する。
【００１２】
図２は図１におけるフローチャートの一例である。先ず商品11からバーコードの１つを入力する（ステップ21）。バーコード識別プロセッサ13はバーコードの入力データと識別データ14の内未だ比較していないデータの一つを比較する（ステップ22）。一致する場合は既に識別結果の候補があるか確認し（ステップ23）、候補がある場合は優先順位の高い方を新たな識別結果の候補とする（ステップ24）。候補がない場合は一致した識別データを識別結果の候補とする（ステップ25）。一致しない場合はステップ23、24、25の処理をスキップする。
【００１３】
次に入力データと識別データ14の全てを比較したか確認する（ステップ26）。比較済みの場合は識別結果の候補を識別結果としてバーコード入力データとともに商品管理データベース12へ出力する（ステップ27）。比較が終わっていない場合はステップ22の処理に戻る。本例では識別結果の候補を決定するために優先順位データを使用したが識別データを優先順位の順に比較する場合には優先順位データは不要である。図１では入力したデータ“ＡＢ１２３４”に対して識別データ14を優先順にしたがって比較することで入力データは商品コードであることがわかる。
【００１４】
図３では識別データ14にバーコードのサイズ、バーコードフォーマットの種類も用いている。商品11からバーコードのデータだけでなくバーコードのサイズ、バーコードフォーマットも同時に入力する。
【００１５】
図４は本発明のバーコード入力システムを適用したＬＡＮアドレス設定システムである。商品41は２つのＬＡＮ機能を持っている。ＬＡＮアドレス設定装置42は入力されたデータに基づいて商品41のＬＡＮアドレスを設定する。商品41からＬＡＮアドレスを示す２つのバーコードを読み込むとバーコード識別プロセッサ13は入力データを入力バッファ45に一旦格納後２つのバーコードデータと識別データ14を比較する。値の大きい方がＬＡＮアドレス１となるので“２３４５６７８９”の値をＬＡＮアドレス１に設定するようにＬＡＮアドレス設定装置42に識別結果と入力データを出力する。
【００１６】
図５は本発明のバーコード入力システムを適用した無線タグ入力システムである。商品11にデータの管理方式が異なる複数の無線タグが使われており入力データに含まれる識別コードを使った識別が困難な場合でもバーコードと同様に識別データ14により入力データの識別が可能となる。
【図面の簡単な説明】
【００１７】
【図１】本発明を商品管理システムに用いた一実施例を示す構成図である。
【図２】図１の実施例におけるフローチャートである。
【図３】同商品管理システムにバーコードの物理情報及びフォーマット情報を用いた一実施例を示す構成図である。
【図４】本発明をＬＡＮ設定システムに用いた一実施例を示す構成図である。
【図５】本発明を無線タグによる商品管理システムに用いた一実施例を示す構成図である。
【符号の説明】
【００１８】
１１  商品、１２  商品管理データベース、１３  バーコードデータ識別プロセッサ、
１４  バーコード識別データ、４１  ２つのＬＡＮ機能を持つ商品、
４２  ＬＡＮアドレス設定装置、４５  バーコードデータ入力バッファ
【図１】
2005327142.tif 000003
【図２】
2005327142.tif 000004
【図３】
2005327142.tif 000005
【図４】
2005327142.tif 000006
【図５】
2005327142.tif 000007